(57)【特許請求の範囲】
【請求項１】
互いに異なる送信周波数及び受信周波数を使用周波数帯域とする第１アンテナ部と、
前記受信周波数を使用周波数帯域とする第２アンテナ部と、
人体との距離を検出し、検出した距離が設定値以上のときは第１信号を出力し、前記距離が前記設定値未満のときは第２信号を出力する近接センサ部と、
送信信号を生成する送信信号生成手段と、
前記近接センサ部から前記第１信号を受信したときは、前記送信信号を前記第１アンテナ部に伝達し、前記近接センサ部から前記第２信号を受信したときは、前記送信信号の信号レベルを代えることなく、当該送信信号の伝達先を前記第２アンテナ部に切り換える切換手段と、を備えて成る、携帯情報端末。
【請求項２】
前記第１アンテナ部は、メインアンテナと、このメインアンテナと高周波回路とのインピーダンスを整合させる第１整合回路とを含み、
前記第２アンテナ部は、前記メインアンテナよりも狭帯域であるが広い周波数帯にわたって反射損失の変化が小さいサブアンテナと、このサブアンテナと高周波回路とのインピーダンスを整合させる第２整合回路とを含む、
請求項１記載の携帯情報端末。
【請求項３】
前記メインアンテナと前記第１整合回路、並びに、前記サブアンテナと前記第２整合回路が、それぞれスプリングコンタクトを介して接続されている、
請求項２記載の携帯情報端末。
【請求項４】
操作者が把持可能な筐体を備えており、
この筐体の所定部位には、前記操作者が片方の手の指でタッチ操作可能な表示パネルが設けられており、
前記近接センサ部は、前記表示パネルと一体に配置されており、
前記メインアンテナは、前記筐体の所定部位に設置されており、
前記サブアンテナは、前記筐体において前記メインアンテナと最も離れた部位に設置されている、
請求項３記載の携帯情報端末。
【請求項５】
前記メインアンテナおよび前記サブアンテナは、前記筐体を把持する操作者側と逆の方向に指向性を持つ、    
請求項４記載の携帯情報端末。
【請求項６】
前記メインアンテナへの給電部および前記サブアンテナへの給電部に、それぞれ前記指向性を調整するための移相器を含む移相経路と、前記移相器を含まないバイパス経路とを選択的に切り替える経路選択手段を備え、
前記経路選択手段は前記近接センサ部から前記第１信号を受信したときは前記メインアンテナと前記サブアンテナへの給電部への経路として前記バイパス経路を選択し、前記近接センサ部から前記第２信号を受信したときは前記移相経路を選択する、
請求項５記載の携帯情報端末。
【請求項７】
受信時には前記メインアンテナからの受信信号と前記サブアンテナからの受信信号とを所定の配分比で合成し、送信時には前記メインアンテナへの送信信号と前記サブアンテナへの送信信号とを所定の配分比で分波する合成・分波手段とを備えており、
前記経路選択手段は、この合成・分波手段と前記メインアンテナとの経路および当該合成・分波手段と前記サブアンテナとの経路にそれぞれ挿入接続される、
請求項６記載の携帯情報端末。
【請求項８】
人体との距離が設定値以上のときは第１信号を出力し、前記距離が前記設定値未満のときは第２信号を出力する近接センサ部と、
送信信号を生成する送信信号生成手段と、
前記送信信号の信号レベルを代えることなく、前記近接センサ部から前記第１信号を受信したときは、前記送信信号を、互いに異なる送信周波数及び受信周波数を使用周波数帯域とする第１アンテナ部へ伝達し、前記第２信号を受信したときは、前記送信信号を、前記受信周波数を使用周波数帯域とする第２アンテナ部へ伝達する切換手段と、を備えて成る、高周波通信モジュール。
【発明の詳細な説明】
【技術分野】
【０００１】
本発明は、ＳＡＲ(Specific Absorption Rate)対策を施した携帯情報端末および電子機器に搭載可能な高周波通信モジュールに関する。
【背景技術】
【０００２】
高周波通信モジュールを搭載した電子機器では、ＳＡＲ値を満たすことが義務付けられている。ＳＡＲ値とは、人体が一定時間にどの位の電磁界強度を受けたのかを表す指標の許容値である。ＳＡＲ値が許容限界を超える電子機器では、例えば、人体の近接を検出して電磁界強度を強制的に下げるといったＳＡＲ対策が必要となる。
【０００３】
上記電子機器の一例となる携帯情報端末は、３Ｇ（3rd. Generation）から４Ｇ（4th Generation）への移行に伴い、ＬＴＥ（Long Term Evolution）を搭載したものも提案されている。ＬＴＥでは、ＭＩＭＯ（Multiple Input Multiple Output）技術が用いられる。ＭＩＭＯ技術を用いるには、複数のアンテナを設けることが必須となる。ＬＴＥでは、従前の１アンテナ構成から複数のアンテナを搭載することが必須条件になる。このような複数アンテナ搭載時においても、ＳＡＲ対策は、アンテナ設計において大きな課題となっている。
【０００４】
例えば特許文献１に開示された無線情報端末装置では、人体の近接度合いを検出し、検出した近接度合いに応じて、複数のアンテナの一方の電波放射レベルを電波放射が停止しない範囲で低減するように送信電力を制御している。例えば、人体の近接度合いに応じてコンデンサの容量を変え、発振周波数を変化させることにより、帯域フィルタを通過する帯域を制御している。
【先行技術文献】
【特許文献】
【０００５】
【特許文献１】特開２００５−２８６６２７号公報
【発明の概要】
【発明が解決しようとする課題】
【０００６】
特許文献１に記載された無線情報端末装置では、人体の近接度合いに応じて送信電力を制御するので、周波数を変化させるための回路や帯域フィルタが必要となり、電力制御のための回路構成が複雑となるという問題がある。
本発明は、上記の問題を解決し、簡易な構成でＳＡＲ対策を講ずることができる携帯情報端末および高周波通信モジュールを提供することを主たる課題とする。
【課題を解決するための手段】
【０００７】
上記課題を解決する本発明の携帯情報端末は、互いに異なる送信周波数及び受信周波数を使用周波数帯域とする第１アンテナ部と、前記受信周波数を使用周波数帯域とする第２アンテナ部と、人体との距離を検出し、検出した距離が設定値以上のときは第１信号を出力し、前記距離が前記設定値未満のときは第２信号を出力する近接センサ部と、送信信号を生成する送信信号生成手段と、前記近接センサ部から前記第１信号を受信したときは、前記送信信号を前記第１アンテナ部に伝達し、前記近接センサ部から前記第２信号を受信したときは、前記送信信号の信号レベルを代えることなく、当該送信信号の伝達先を前記第２アンテナ部に切り換える切換手段と、を備えて成る。
【０００８】
本発明の高周波通信モジュールは、人体との距離が設定値以上のときは第１信号を出力し、前記距離が前記設定値未満のときは第２信号を出力する近接センサ部と、送信信号を生成する送信信号生成手段と、前記送信信号の信号レベルを代えることなく、前記近接センサ部から前記第１信号を受信したときは、前記送信信号を、互いに異なる送信周波数及び受信周波数を使用周波数帯域とする第１アンテナ部へ伝達し、前記第２信号を受信したときは、前記送信信号を、前記受信周波数を使用周波数帯域とする第２アンテナ部へ伝達する切換手段と、を備えて成る。
【発明の効果】
【０００９】
本発明によれば、人体が携帯情報端末に近接すると、送信信号の伝達先を送信周波数及び受信周波数を使用周波数帯域とする第１アンテナ部から受信周波数を使用周波数帯域とする第２アンテナ部へ切り換え、この第２アンテナ部で送信信号を送信するようにしたので、送信電力を変えることなく、送信時のアンテナ効率を低下させることができる。これにより、簡易にＳＡＲ対策を講ずることができる。特に、ＬＴＥのような複数のアンテナを搭載した携帯情報端末では、複数のアンテナをそのまま用いることができるため、設計変更に柔軟に対応することができる。
【図面の簡単な説明】
【００１０】
【図１】第１実施形態に係る携帯情報端末の外観図であり、（ａ）は正面図、（ｂ）は背面図、（ｃ）は上面図である。
【図２】筐体に収容される携帯情報端末の電子部品の構成図。
【図３】筐体における各アンテナの位置関係および指向特性を示した図であり、（ａ）は正面図、（ｂ）は上面図である。
【図４】ＲＦモジュールの詳細構成図。
【図５】近接センサ部とセンサモジュールの説明図。
【図６】メインアンテナの説明図であり、（ａ）はメインアンテナの構造説明図、（ｂ）は等価回路である。
【図７】サブアンテナの説明図であり、（ａ）はサブアンテナの構造説明図、（ｂ）は等価回路である。
【図８】各アンテナの周波数毎の反射損失の関係説明図。
【図９】各アンテナの周波数毎のアンテナ効率の関係説明図。
【図１０】ポート切り換えの動作手順説明図。
【図１１】第２実施形態に係る高周波通信モジュールのアンテナ部分の構成概要図。
【図１２】上記アンテナ部分の具体的な構成説明図。
【図１３】人体が近接していない場合の経路状態説明図。
【図１４】人体が近接している場合の経路状態説明図。
【発明を実施するための形態】
【００１１】
以下、図面を参照して、本発明の実施の形態例を説明する。
［第１実施形態］
図１は、第１実施形態に係る携帯情報端末の外観図であり、（ａ）は正面図、（ｂ）は背面図、（ｃ）は上面図である。
この携帯情報端末は、操作者が両手で把持し得る形状およびサイズの筐体１００を有する。筐体１００の略中央部には、タッチセンサを搭載した表示パネル１１０が設けられている。筐体１００には、操作者が右手で把持するための第１把持部１０１と、左手で把持するための第２把持部１０２とが設けられている。各把持部１０１，１０２には、操作ボタン等が配置されている。操作者は、表示パネル１１０を見ながら、片方の手で筐体１００を把持するとともに、もう片方の手の指で表示パネル１１０をタッチ操作するのが一般的な操作態様である。
【００１２】
筐体１００に収容される電子部品の構成例を図２に示す。電子部品は、大別して、高周波通信モジュール１０と処理ボード２０とがある。処理ボード２０は、高周波通信モジュール１０との間で電力および電気信号の入出力を行う入出力インタフェース（Ｉ／Ｏ：Input／Output）２１と、高周波通信モジュール１０および処理ボード２０内の動作を制御する制御部２２と、駆動電力を供給する電源部（Ｐ．Ｓ．）２３とを有する。
【００１３】
高周波通信モジュール１０は、処理ボード２０との間で、電力および電気信号の入出力を行うＩ／Ｏ１１を有する。このＩ／Ｏ１１には、信号の変復調を行うＲＦ（Radio Frequency）モジュール１２が接続される。ＲＦモジュール１２は、送信時は高周波信号を変調し、これにより得られる変調信号を２極双投スイッチ（ＤＰＤＴ−ＳＷ：Dual Pole Dual Throw Switch）１３の第１ポート１３１に供給する。受信時は、ＤＰＤＴ−ＳＷ１３の第２ポート１３２より高周波信号を受け取る。
【００１４】
ＤＰＤＴ−ＳＷ１３の第１ポート１３１は、アンテナ側の一対の接続端子のいずれか一方の接続端子と接続される。第２ポート１３２は、アンテナ側の一対の接続端子の他方の接続端子と接続される。第１ポート１３１および第２ポート１３２とアンテナ側の接続端子との接続は、近接センサ部を構成するセンサエレメント１４およびセンサモジュール１５により、スイッチング制御される。
ＤＰＤＴ−ＳＷ１３には、例えばソニー株式会社製の「CχG1144AEN」を用いることができる。センサモジュール１５には、例えばAnalog Devices社製の「AD7147」を用いることができる。
【００１５】
ＤＰＤＴ−ＳＷ１３のアンテナ側の一方の接続端子には第１アンテナ部、他方の接続端子には第２アンテナ部がそれぞれ接続される。第１アンテナ部は、整合回路１６と、この整合回路１６にスプリングコンタクトを介して接続されるメインアンテナ１８とを含んで構成される。第２アンテナ部は、整合回路１７と、この整合回路１７にスプリングコンタクトを介して接続されるサブアンテナ１９とを含んで構成される。整合回路１６，１７は、各アンテナ１８，１９とＲＦモジュール１２とのインピーダンスを整合させる回路であり、それぞれ筐体１００内の異なる基板上に装着（形成）される。
【００１６】
各アンテナ１８，１９と整合回路１６，１７との接続手段としてスプリングコンタクトを用いることにより、整合回路１６，１７を装着した各基板と他の電子部品を装着した他の基板との異なる熱膨張レベルを、機械的ストレスなく吸収することができる。また、携帯情報端末の携行時に振動が生じても、各アンテナ１８，１９と整合回路１６，１７との接続状態を良好に維持することができる。
【００１７】
図３は、筐体１００における各アンテナ１８，１９の位置関係および指向特性を示した図であり、（ａ）は正面図、（ｂ）は上面図である。
メインアンテナ１８は、筐体１００の第１部位、具体的には図３（ａ）の正面をみて向かって右上角部に配置される。サブアンテナ１９は、メインアンテナ１８から最も離れた筐体１００の第２部位、具体的には図３（ａ）の正面を見て左下角部に配置される。このように、メインアンテナ１８とサブアンテナ１９とを、筐体１００の最も離れた部位に配置するのは、高周波信号の相互干渉を防止するためである。
各アンテナ１８，１９は、図３（ｂ）の１点破線で示されるように、筐体１００を把持する操作者と反対方向に指向性を持つように、それぞれアンテナ特性が調整されており、これによって、操作者の電磁波による影響を緩和している。
【００１８】
図４は、ＲＦモジュール１２の詳細構成図である。ＲＦモジュール１２は、変復調部１２１を有する。変復調部１２１は、上述したとおり、送信時には処理ユニット２０から伝達された送信信号を変調する。電力増幅部１２２は変復調部１２１で変調された送信信号を所定電力値まで増幅する。増幅された送信信号を送信電力Ｔｘとする。送信電力Ｔｘは、デュープレクサ１２３、送信ポート１２４を経て、ＤＰＤＴ−ＳＷ１３の第１ポート１３１に導かれる。デュープレクサ１２３は、送信電力Ｔｘの一部をリファレンス電力Ｒｘとして変復調部１２１にフィードバックする。
受信時にＤＰＤＴ−ＳＷ１３の第２ポート１３２および受信ポート１２５を経て供給された受信電力Ｒｘは、変復調部１２１に入力される。変復調部１２１は、この受信電力Ｒｘをリファレンス電力Ｒｘに基づいて復調し、Ｉ／Ｏ１１，２１を介して処理ユニット２０へ伝達する。
【００１９】
図５を参照して、近接センサ部について説明する。近接センサ部のセンサエレメント１４は、人体の近接の有無を検出する。本実施形態では、このセンサエレメント１４を表示パネル１１０と一体となったパネル構造のものとした。すなわち、表示パネル１１０の表面に保護膜１４１で保護された静電エレメント１４２を配置した。センサエレメント１４は、センサモジュール１５と接続される。
【００２０】
センサモジュール１５は、ミクサ１５１，アナログ・フロンドエンド１５２および信号発生器１５３を有する。ミクサ１５１は信号発生器１５３とセンサエレメント１４から伝達された信号との差分値をＬｏｗ信号又はＨｉｇｈ信号として出力する。具体的には、センサモジュール１５は、人体の一例である指が操作のためにセンサエレメント１４の保護膜１４１と近接していない場合はＬｏｗ信号、近接した場合はＨｉｇｈ信号を出力する。近接したかどうかは、センサモジュール１５により設定することができる。本実施形態では、指と保護膜１４１との距離の設定値が０［ｍｍ］〜１５［ｍｍ］であれば近接、上記距離が設定値よりも離れれば近接でないと判別し、近接のときはＨｉｇｈ信号、そうでなければ、Ｌｏｗ信号を出力する。
【００２１】
図６は、メインアンテナ１８の説明図であり、（ａ）は構造説明図、（ｂ）はその等価回路である。メインアンテナ１８は、本実施形態では整合回路１６に接続される板状の逆Ｆアンテナである。そのサイズは使用周波数によって決まるが、例えば２．０６［ＧＨｚ］の周波数を使用することを前提とすれば、給電部の長さは７［ｍｍ］,エレメント長は２６［ｍｍ］となる。整合回路１６は、誘導性リアクタンスＸＬ１と容量性リアクタンスＸＣ１とを有する。それぞれの値は、誘導性リアクタンスＸＬ１が５．６［ｎＨ］、容量性リアクタンスＸＣ１が６［ｐＦ］である。
【００２２】
図７は、サブアンテナ１９の説明図であり、（ａ）は構造説明図、（ｂ）はその等価回路である。サブアンテナ１９は、整合回路１７に接続されるダイポールアンテナ、例えばミアンダ状のダイポールアンテナである。そのサイズは使用周波数によって決まるが、例えば２．１８［ＧＨｚ］帯の周波数を使用することを前提とすれば、エレメント長は２１．５［ｍｍ］である。整合回路１７は、誘導性リアクタンスＸＬ２と容量性リアクタンスＸＣ２とを有する。それぞれの値は、誘導性リアクタンスＸＬ２が２［ｎＨ］、容量性リアクタンスＸＣ２が３［ｐＦ］である。
【００２３】
図８は、各アンテナの周波数毎の反射損失の関係説明図である。反射損失(リターン・ロス)とは、入力した電力と反射された電力との比であり、アンテナ性能を表す重要なファクタである。図８を参照すると、１［ＧＨｚ］付近では、メインアンテナ１８もサブアンテナ１９も反射損失はほぼ同じであるが、周波数が２［ＧＨｚ］に近づくにつれて、両アンテナ１８，１９の反射損失の差が顕著となる。周波数が２［ＧＨｚ］を超える場合も同様である。メインアンテナ１８は、２．０６［ＧＨｚ］で−１６．５［ｄＢ］程度となるが、サブアンテナ１９は、２．１８［ＧＨｚ］の最小の反射損失でも−３程度［ｄＢ］程度である。但し、サブアンテナ１９は、メインアンテナ１８よりも広い周波数帯にわたって反射損失にあまり変わりがない。つまり、サブアンテナ１９は、受信に適したアンテナということができる。
【００２４】
図９は、各アンテナの周波数毎のアンテナ効率の関係説明図である。アンテナ効率は、アンテナからの全放射電力と供給電力との比で表される。メインアンテナ１８は、２．０６［ＧＨｚ］で最大のアンテナ効率となる。サブアンテナ１９は、２．１８［ＧＨｚ］で最大のアンテナ効率となるが、メインアンテナ１８のアンテナ効率には至らない。全般的に、サブアンテナ１９のアンテナ効率は、メインアンテナ１８のそれよりも低い。例えば、送信周波数帯で最大９［ｄＢ］、最小でも７．７［ｄＢ］だけサブアンテナ１９のアンテナ効率が低い。そのため、保護膜１４１に人体が近接した場合、メインアンテナ１８とサブアンテナ１９とを入れ替えるだけで、送信電力を何ら下げるための調整を行うことなく、７．７〜９［ｄＢ］だけ、アンテナ効率を低下させ、ＳＡＲ低減の効果を奏することができる。
【００２５】
これらのアンテナ１８，１９とＤＰＤＴ−ＳＷ１３のポート切り換えの手順は、図１０に示すとおりである。電源オン前は、センサモジュール１５から伝達される近接信号はＬｏｗ信号である。
【００２６】
ＤＰＤＴ−ＳＷ１３は、電源オンにより第１ポート１３１をメインアンテナ、第２ポート１３２をサブアンテナに接続する（Ｓ１１：Ｙ、Ｓ１２）。この接続状態がデフォルト状態となる。近接信号がＬｏｗ信号からＨｉｇｈ信号に変化しないときは、現在の接続状態を維持する（Ｓ１３：Ｎ）。
近接信号がＬｏｗ信号からＨｉｇｈ信号に変化した場合、ＤＰＤＴ−ＳＷ１３は、現在の接続状態を、第１ポート１３１を第２アンテナ部（サブアンテナ１９）側の接続端子、第２ポート１３２を第１アンテナ部（メインアンテナ１８）側の接続端子に切り換える（Ｓ１３：Ｙ、Ｓ１４）。その後、近接信号がＨｉｇｈ信号からＬｏｗ信号に変化しなければ、現在の状態を維持する（Ｓ１５：Ｎ）。
Ｌｏｗ信号に変化した場合、ＤＰＤＴ−ＳＷ１３は、第１ポート１３１を第１アンテナ部側の接続端子、第２ポート１３２を第２アンテナ部側の接続端子に切換接続する。
電源オフになければ現在の接続状態を維持する（Ｓ１７：Ｎ）。電源オフのときは、切換接続動作を終える（Ｓ１７：Ｙ）。
【００２７】
［第２実施形態］
図１１は、第２実施形態における高周波通信モジュールのアンテナ部分の構成概要図である。第２実施形態では、第１実施形態で説明したメインアンテナ１８およびサブアンテナ１９のほかに、ダイバシティ用のサブアンテナ２９を設ける。また、図示しない高周波回路との間に、合成／分波器２４を設ける。合成／分波器２４は、送信時には、送信対象信号（高周波信号）を所定の配分比、例えば７対３で固定的に分配し、受信時には受信信号を合成するものである。さらに、合成／分波器２４とメインアンテナ１８およびサブアンテナ１９とを結ぶ経路に移相器１８１，１９１を挿入接続し、送信信号および受信信号の位相を変えることにより、メインアンテナ１８およびサブアンテナ１９の指向性を実質的に変えるようにしている。
なお、メインアンテナ１８およびサブアンテナ１９は、それぞれ送受信兼用となる。もう一つのサブアンテナ２９は、受信専用となる。
【００２８】
図１１に示したアンテナ部分の構成例をより具体的に示したのが図１２である。図１２の例では、合成／分波器２４とメインアンテナ１８とを結ぶ経路を２系統とし、第１高周波スイッチ１８２，移相器１８１，第２高周波スイッチ１８３が挿入接続された経路を移相経路としている。他方、合成／分波器２４とメインアンテナ１８とを直接結ぶ経路をバイパス経路としている。どちらの経路を選択するかは、第１実施形態で説明したセンサモジュール１５からの近接信号がＨｉｇｈ信号かＬｏｗ信号かで決まる。
合成／分波器２４とサブアンテナ１９とを結ぶ経路も２系統あり、第３高周波スイッチ１９２，移相器１９１，第４高周波スイッチ１９３が挿入接続された経路を移相経路、ダイレクトに結ぶ経路をバイパス経路としている。第１〜第４高周波スイッチ１８２，１８３，１９２，１９３は、経路切換手段として機能するものである。
【００２９】
第２実施形態において、人体が近接していない場合、第１〜第４高周波スイッチ１８２，１８３，１９２，１９３は、図１２から図１３のような状態となる。
人体が近接していない場合、センサモジュール１５からは、Ｌｏｗ信号が出力される。このとき、第１〜第４高周波スイッチ１８２，１８３，１９２，１９３は、合成／分波器２４と各アンテナ１８，１９をバイパス経路で接続する。すなわち、第１高周波スイッチ１８２および第２高周波スイッチ１８３は、合成／分波器２４の出力をメインアンテナ１８へ供給し、第３高周波スイッチ１９２および第４高周波スイッチ１９３は、合成／分波器２４の出力をサブアンテナ１９へ供給する。
【００３０】
人体が近接すると、センサモジュール１５からは、Ｈｉｇｈ信号が出力される。このとき、第１〜第４高周波スイッチ１８２，１８３，１９２，１９３は、図１４に示すように、合成／分波器２４と各アンテナ１８，１９を移相経路で接続する。すなわち、第１高周波スイッチ１８２および第２高周波スイッチ１８３は、合成／分波器２４の出力を移相器１８１を介してメインアンテナ１８に供給し、第３高周波スイッチ１９２および第４高周波スイッチ１９３は、合成／分波器２４の出力を移相器１９２を介してサブアンテナ１９へ供給する。
これにより、人体が近接した場合の各アンテナ１８，１９の指向性を変えることができる。また、移相器１８１，１９１の挿入損失分だけ、送信電力が低下し、ＳＡＲ値を低減させることができる。
【００３１】
本発明の実施形態は以上のとおりであるが、本発明は、メインアンテナ１８を主たる構成要素とするアンテナ部（第１アンテナ部）と、メインアンテナよりもアンテナ効率の低いサブアンテナ１９を主たる構成要素とアンテナ部（第２アンテナ部）とを、近接センサ部からの信号に基づいて、送信信号の信号レベルを代えることなく切り換えることに主眼があるので、上記実施形態に限定されることなく、様々な態様で実施することができる。
【００３２】
例えば、第１および第２実施形態では、人体とセンサエレメント１４との距離が設定値未満のときはセンサモジュール１５がＬｏｗ信号を出力し、設定値以上のときはＨｉｇｈ信号を出力する場合の例を示したが、受信する側でインバータを有する場合、Ｈｉｇｈ信号とＬｏｗ信号とは逆であっても良い。また、Ｌｏｗ信号は、Ｈｉｇｈ信号が途切れたとき、すなわち無信号レベルであっても良い。
【００３３】
また、第１および第２実施形態の構成において、デフォルトでは、送信信号を第１アンテナ部に伝達するように構成しておき、人体とセンサエレメント１４との距離が設定値未満のときだけセンサモジュール１５から切り換えるための切換信号（Ｈｉｇｈ信号又はＬｏｗ信号）を出力して、送信信号を第２アンテナ部へ切り換えるようにしても良い。このとき、タイマ等を設けて自動的にデフォルトの状態に復帰するように構成しても良い。
【００３４】
以上のように、本発明の携帯情報端末は、第１アンテナ部と、この第１アンテナ部よりもアンテナ効率の低い第２アンテナ部と、人体との距離を検出し、検出した距離が設定値未満になると切換信号を出力する近接センサ部と、送信信号を生成する送信信号生成手段と、前記送信信号を前記第１アンテナ部および前記第２アンテナ部の一方のアンテナ部に伝達し、前記近接センサ部から前記切換信号を受信したときは、前記送信信号の信号レベルを代えることなく、当該送信信号の伝達先を他方のアンテナ部に切り換える切換手段と、を備えるようにしたので、人体が近接したときの電磁波の放射量をアンテナ部の切換だけで抑制し、簡易にＳＡＲ値を低減させることができる。
ＬＴＥのように、複数のアンテナが搭載されている携帯情報端末の場合は、これらのアンテナをそのまま用いることができるので、アンテナの設置に伴うコスト増を抑制することができる。また、ＬＴＥの設計変更にも柔軟に対応することができる。
【００３５】
この携帯情報端末において、第１アンテナ部は、送信信号の周波数および受信信号の周波数を使用周波数帯域とするメインアンテナ１８と、このメインアンテナ１８とＲＦモジュール１２を含む高周波回路とのインピーダンスを整合させるための整合回路とを含み、第２アンテナ部は、受信信号の周波数を使用周波数帯域とする、メインアンテナ１８よりも狭帯域のサブアンテナ１９とその整合回路１７とを含む。これにより、アンテナ部の切換動作だけで、簡易にＳＡＲ低減効果を奏することができる。
【００３６】
また、メインアンテナ１８と整合回路１６、並びに、サブアンテナ１９と整合回路１７が、それぞれスプリングコンタクトを介して接続されているので、各アンテナ１８，１９や整合回路等の取り付け位置が熱膨張に変位してもそれを機械的ストレスなく吸収することができる。また、携帯情報端末の携行時に振動が生じても、各アンテナ１８，１９と整合回路１６，１７との接続状態を維持することができる。
【００３７】
また、携帯情報端末は、操作者が把持可能な筐体１００の所定部位に、操作者が片方の手の指でタッチ操作可能な表示パネル１１０が設け、この表示パネル１１０と一体に近接センサ部を配置したので、人体の一部である指を適切に検知することができる。さらに、メインアンテナ１８とサブアンテナ１９とを、それぞれ筐体１００の最も離れた部位に設置したので、アンテナ間の相互干渉を抑制することができる。
【００３８】
さらに、メインアンテナ１８およびサブアンテナ１９は、筐体１００を把持する操作者側と逆の方向に指向性を持つようにしたので、操作時の電磁波による影響を緩和することができる。
【００３９】
さらに、メインアンテナ１８への給電部およびサブアンテナ１９への給電部に、それぞれ指向性を調整するための移相器１８１，１９１を含む移相経路とバイパス経路とを選択的に切り替える経路選択手段を備え、Ｌｏｗ信号を受信したときはメインアンテナ１８とサブアンテナ１９への給電部への経路としてバイパス経路を選択し、Ｈｉｇｈ信号を受信したときは移相経路を選択するようにしたので、操作時の電磁波の影響をより顕著に抑制することができる。
【００４０】
なお、第１実施形態において説明した高周波通信モジュール１０は、携帯情報端末以外の他の電子機器にも搭載可能なものである。
【符号の説明】
【００４１】
１０  高周波通信モジュール
１１，２１  入出力インタフェース（Ｉ／Ｏ）
１２  ＲＦモジュール
１２１  変復調部
１２２  電力増幅部
１２３  デュープレクサ
１２４  送信ポート
１２５  受信ポート
１３  ＤＰＤＴ−ＳＷ
１３１  第１ポート
１３２  第２ポート
１４  センサエレメント
１４１  保護膜
１４２  静電エレメント
１５  センサモジュール
１５１  ミクサ  
１５２  アナログ・フロンドエンド
１５３  信号発生器
１６，１７  整合回路
１８  メインアンテナ
１９，２９  サブアンテナ
２０  処理ボード
２２  制御部
２３  電源部（Ｐ．Ｓ．）
２４  合成／分波器
１８１，１９１  移相器
１８２，１８３，１９２，１９３  高周波スイッチ  
【図１】
0005841469.tif 000002
【図２】
0005841469.tif 000003
【図３】
0005841469.tif 000004
【図４】
0005841469.tif 000005
【図５】
0005841469.tif 000006
【図６】
0005841469.tif 000007
【図７】
0005841469.tif 000008
【図８】
0005841469.tif 000009
【図９】
0005841469.tif 000010
【図１０】
0005841469.tif 000011
【図１１】
0005841469.tif 000012
【図１２】
0005841469.tif 000013
【図１３】
0005841469.tif 000014
【図１４】
0005841469.tif 000015